(57)【要約】【課題】パネル面に多数配設されたパネル電極の屋内配線との接続を、給電を必要とするパネル面上の電気製品からの給電指令信号により達成し、もって漏電や短絡事故さらには感電の恐れのない、高い安全性を発揮するコードレス電力供給パネルを提供することを目的とする。【解決手段】  パネル１のパネル面３に、多数のパネル電極４を繰り返し配列し、パネル電極４の隣り合った一方である一方電極４ａを、給電指令信号に従って、スイッチ切替え動作を行うセレクタ５を介して、屋内配線１４の電力線１５に断続可能に接続し、パネル電極４の隣り合った他方である他方電極４ｂを、屋内配線１４のグランド線１６に接続して、必要時にだけ一方電極４ａを電力線１５に接続するようにして、電気的安全性を得る。【選択図】図６
2006353002.tif 000002
【特許請求の範囲】
【請求項１】
パネル（１）のパネル面（３）に、多数のパネル電極（４）を一定のルールに基づいて繰り返し配列し、該多数のパネル電極（４）を二つのグループに分け、前記隣り合ったパネル電極（４）は、互いに他のグループに含まれるようにし、前記パネル電極（４）に対する給電対象物である給電体（１８）の接近もしくは接触を知らせる給電指令信号に基づいて切替え指令信号を出力する検出体（１１）と、該検出体（１１）からの切替え指令信号を解読してスイッチ切替え動作を行うセレクタ（５）とを設け、前記パネル電極（４）の、一方のグループに含まれる一方電極（４ａ）を、前記セレクタ（５）を介して屋内配線（１４）の電力線（１５）に断続可能に接続し、前記パネル電極（４）の、他方のグループに含まれる他方電極（４ｂ）を、前記屋内配線（１４）のグランド線（１６）に接続したことを特徴とするコードレス電力供給パネル。
【請求項２】
多数のパネル電極（４）を、正方形の各頂点に位置させて、繰り返し配列した請求項１記載のコードレス電力供給パネル。
【請求項３】
多数のパネル電極（４）を、長方形の各頂点に位置させて、繰り返し配列した請求項１記載のコードレス電力供給パネル。
【請求項４】
多数のパネル電極（４）を、ひし形の各頂点に位置させて、繰り返し配列した請求項１記載のコードレス電力供給パネル。
【請求項５】
多数のパネル電極（４）を、正六角形の各頂点に位置させて、繰り返し配列した請求項１記載のコードレス電力供給パネル。
【請求項６】
セレクタ（５）を、切替え指令信号を解読する解読部（６）と、該解読部（６）からの解読信号に従って、一方電極（４ａ）を電力線（１５）に切替え接続するスイッチ部（７）とから構成した請求項１〜５のいずれか１項に記載のコードレス電力供給パネル。
【請求項７】
セレクタ（５）のスイッチ部（７）の、電力線（１５）以外への切替え接点を、グランド線（１６）への切替え接点と、オープン端子への切替え接点との、何れか一方とした請求項６記載のコードレス電力供給パネル。
【請求項８】
検出体（１１）を、給電体（１８）からの給電指令信号を検出する検出部（１２）と、該検出部（１２）で検出した給電指令信号を解析して、切替え指令信号を出力する解析部（１３）とから構成した請求項１〜７のいずれか１項に記載のコードレス電力供給パネル。
【請求項９】
屋内配線（１４）の電力線（１５）を、交流電力線（１５ａ）と直流電力線（１５ｂ）の一方もしくは両方とした請求項１〜８のいずれか１項に記載のコードレス電力供給パネル。
【請求項１０】
電力線（１５）を交流電力線（１５ａ）と直流電力線（１５ｂ）とで構成すると共に、セレクタ（５）のスイッチ部（７）を、一方電極（４ａ）を前記交流電力線（１５ａ）に切替え接続するＡＣスイッチ（８）と、前記一方電極（４ａ）を直流電力線（１５ｂ）に切替え接続するＤＣスイッチ（９）とから構成した請求項６または７記載のコードレス電力供給パネル。
【請求項１１】
ＡＣスイッチ（８）とＤＣスイッチ（９）の切替え切片を、共通させた請求項１０記載のコードレス電力供給パネル。
【請求項１２】
隣り合っている所望数のパネル電極（４）の集まりを区画してパネルユニット（２）とし、該パネルユニット（２）の複数の一方電極（４ａ）を一つのセレクタ（５）に共通接続した請求項１〜１１のいずれか１項に記載のコードレス電力供給パネル。
【請求項１３】
パネル電極（４）の配列方向の数を、等しい偶数値とした請求項１２記載のコードレス電力供給パネル。
【発明の詳細な説明】
【技術分野】
【０００１】
本発明は、パネル面に接触位置した電気製品に対して、コードレスに電力を供給することを可能とした、コードレス電力供給パネルに関するものである。
【背景技術】
【０００２】
テレビ、パソコン等の家庭電化製品である給電体への電力の供給は、壁に設けたコンセントと給電体とをケーブルで接続することにより達成されるが、このため給電体の移動できる範囲は、このケーブルの長さで制限されてしまい、フレキシブルに模様替えを行うことができず、かつ給電体に必ず付帯するケーブルが、時として取扱いおよび外観体裁の邪魔となる、と云う不満があった。
【０００３】
また、ロボット、各種可動台車、自動掃除機等の移動給電体は、搭載した重くかつ嵩張るバッテリーを電源として作動するため、その小型化、軽量化に、満足し得ない限界がある、と云う不満があった。
【０００４】
この不満を解消するものとして、床面に、多数の電極板を所定間隔にて配設すると共に、この電極板の各々を交互に極性を変えて電源に接続し、床面等の面上の給電体に、相互に絶縁された複数の電極子を設け、この電極子は、一部の電極子が一方の極性の電極板に接触し、同時に他の一部の電極子が他方の極性の電極板に接触可能に配置し、１つの電極子が極性を異にする２枚の電極板に同時に接触しないように、電極板相互の間隔を電極子の接触範囲より大きく設けて構成して、面上の給電体に、ワイヤレスで電力を供給することのできる技術が特公平２−１６０９０号公報として開示されている。
【０００５】
この特公平２−１６０９０号公報に開示された技術にあっては、床面に配設された多数の電極板は、電源に接続された状態のままであるので、目的とする給電体とは別の床面上の物品により、漏電や短絡事故の発生する恐れがあるだけではなく、そのままでは人が感電する危険があるので、一般の家庭やオフィスで使用することはできない、と云う不都合があった。
【０００６】
本件出願人は、上記した不都合を解消するものとして、床面に多数配設された各電極板（床電極）を、セレクタを介して屋内配線に接続し、このセレクタを、給電を必要とする床面上の給電体からの給電要求信号に従って、断続切替え接続するものとし、もって漏電や短絡事故さらには感電の恐れのない、高い安全性を発揮する電力供給床に関する技術を提案した。
【特許文献１】特願２００３−４０６０６２号
【発明の開示】
【発明が解決しようとする課題】
【０００７】
しかしながら、上記した従来技術にあっては、断続切替え機能を有するセレクタを、各床電極毎に接続組付けしなければならないので、必要とするセレクタの数が膨大なものとなり、セレクタに要する経費が、きわめて大きくなる、と云う不満がある。
【０００８】
特に、各種の床面上の給電体に対する、汎用性に富んだ給電動作を得ることができるようにすること、および床電極の金属感が強く現れることによる、床面外観体裁の劣悪化を防止することを達成する手段として、床面に露出する床電極の大きさをできる限り小さくした状態で、できるだけ多数の床電極を設けるのが有効な手段なのであるが、上記したセレクタに関する経費の問題は、この有効な手段を実施するのに、大きな弊害となる。
【０００９】
そこで、本発明は、上記した従来技術における問題点を解消すべく創案されたもので、使用されるセレクタの数を、床面等の表面に位置した電極の半数以下とすることを技術的課題とし、もって漏電や短絡事故さらには感電の恐れのない、高い安全性を保ったまま、セレクタに要する経費の大幅な低減を達成することを目的とする。
【課題を解決するための手段】
【００１０】
上記技術的課題を解決する本発明の内、請求項１記載の発明の構成は、
パネルのパネル面に、多数のパネル電極を、一定のルールに基づいて、繰り返し配列すること、
この多数のパネル電極を二つのグループに分けること、
隣り合ったパネル電極は、互いに他のグループに含まれるようにすること、
パネル電極に対する、給電対象物である給電体の接近もしくは接触を知らせる、給電指令信号に基づいて、切替え指令信号を出力する検出体と、この検出体からの切替え指令信号を解読してスイッチ切替え動作を行うセレクタとを設けること、
パネル電極の、一方のグループに含まれる一方電極を、セレクタを介して屋内配線の電力線に断続可能に接続し、パネル電極の、他方のグループに含まれる他方電極を、屋内配線のグランド線に接続すること、
にある。
【００１１】
この請求項１記載の発明においては、パネル電極の一方電極は、給電体からの給電指令信号を検出体が受信しない限り、屋内配線の電力線に接続されていない状態となっているので、給電体以外の物品がパネル面に置かれてパネル電極に接触したとしても、漏電および短絡を引き起こすことはなく、同様に人が、一方電極と他方電極とに同時に接触しても、感電することは全くない。
【００１２】
パネル電極の一方電極と他方電極とは、間隔を空けて隣り合っているので、給電体の一対の給電電極を、隣り合った一対のパネル電極に、一対一の関係で接触させることにより、給電体は、必ず電力供給を受けることができることになる。
【００１３】
この際、給電体に接触した一方電極に接続されているセレクタは、給電体に接触した他方電極が、予めグランド線に接続されていることから、極性判定を要することなく、電力線への切替え接続動作を行えば良く、その分、セレクタの構成および動作制御が簡単なものとなる。
【００１４】
セレクタは、二つのグループに分けられた多数のパネル電極の内、一方のグループを形成する一方電極だけに接続されるので、セレクタを各パネル電極に接続する場合に比べて、その使用数は、確実に半減する。
【００１５】
請求項2記載の発明は、請求項１記載の発明の構成に、多数のパネル電極を、正方形の各頂点に位置させて、繰り返し配列したこと、を加えたものである。
【００１６】
この請求項２記載の発明においては、多数のパネル電極の配列設定が容易であると共に、パネル面における、多数のパネル電極の分布が、確実に均等となる。
【００１７】
請求項３記載の発明は、請求項１記載の発明の構成に、多数のパネル電極を、長方形の各頂点に位置させて、繰り返し配列したこと、を加えたものである。
【００１８】
この請求項３記載の発明においては、多数のパネル電極の配列設定が容易であると共に、等しい間隔でのパネル電極の繰返しが得られる方向が特定されるので、パネル面における給電体の姿勢、配列方向、さらには移動方向が特定されることになる。
【００１９】
請求項４記載の発明は、請求項１記載の発明の構成に、多数のパネル電極を、ひし形の各頂点に位置させて、繰り返し配列したこと、を加えたものである。
【００２０】
この請求項４記載の発明においては、多数のパネル電極の配列設定が容易であり、また隣り合うパネル電極をつなぐ形態の壁片と、ひし形の短い対角線に沿った壁片との組合せによるコア材を、パネル形成材料とすることにより、少ない材料量で、機械的強度に優れたパネルを得ることが可能となる。
【００２１】
請求項５記載の発明は、請求項１記載の発明の構成に、多数のパネル電極を、正六角形の各頂点に位置させて、繰り返し配列したこと、を加えたものである。
【００２２】
この請求項５記載の発明においては、隣り合ったパネル電極の間隔を一定とした条件下で、均等分布されるパネル電極の数を少なくすることができ、また各パネル電極を頂点に位置させた正六角形でハニカムコア材を構成し、このハニカムコア材をパネル形成材料とすることにより、少ない材料量で、機械的強度に優れたパネルを得ることが可能となる。
【００２３】
請求項６記載の発明は、請求項１〜５のいずれか１項に記載の発明の構成に、セレクタを、切替え指令信号を解読する解読部と、この解読部からの解読信号に従って、一方電極を電力線に切替え接続するスイッチ部とから構成したこと、を加えたものである。
【００２４】
この請求項６記載の発明においては、スイッチ部の切替え接続動作を、解読部からの解読信号に従ったものとしたので、解読信号の内容に従って、スイッチ部の切替え形態を替えることが可能となる。
【００２５】
請求項７記載の発明は、請求項６記載の発明の構成に、セレクタのスイッチ部の、電力線以外への切替え接点を、グランド線への切替え接点と、オープン端子への切替え接点との、何れか一方としたこと、を加えたものである。
【００２６】
この請求項７記載の発明においては、セレクタのスイッチ部の、屋内配線の内のグランド線に対する接続を、接続か非接続かの何れかに選択することができる。
【００２７】
請求項８記載の発明は、請求項１〜７のいずれか１項に記載の発明の構成に、検出体を、給電体からの給電指令信号を検出する検出部と、この検出部で検出した給電指令信号を解析して、切替え指令信号を出力する解析部とから構成したこと、を加えたものである。
【００２８】
この請求項８記載の発明においては、検出部で検出した給電指令信号を、解析部で解析して切替え指令信号とするので、給電指令信号として、広い範囲の信号を取扱い対象とすることが可能となる。
【００２９】
請求項９記載の発明は、請求項１〜８のいずれか１項に記載の発明の構成に、屋内配線の電力線を、交流電力線と直流電力線の一方もしくは両方としたこと、を加えたものである。
【００３０】
この請求項９記載の発明においては、給電体が、交流負荷か直流負荷かの違いに対応して、電力線の電力の種類を設定することにより、給電体に対する電力供給を、安全に達成することができる。
【００３１】
請求項１０記載の発明は、請求項６または７記載の発明の構成に、電力線を交流電力線と直流電力線とで構成すると共に、セレクタのスイッチ部を、一方電極を交流電力線に切替え接続するＡＣスイッチと、一方電極を直流電力線に切替え接続するＤＣスイッチとから構成したこと、を加えたものである。
【００３２】
この請求項１０記載の発明においては、給電体が、交流負荷であっても、直流負荷であっても、この給電体に対して適正に電力を供給することができる。
【００３３】
請求項１１記載の発明は、請求項１０記載の発明の構成に、ＡＣスイッチとＤＣスイッチの切替え切片を、共通させたこと、を加えたものである。
【００３４】
この請求項１１記載の発明においては、セレクタのスイッチ部の構造を、簡単化することができる。
【００３５】
請求項１２記載の発明は、請求項１〜１１のいずれか１項に記載の発明の構成に、隣り合っている所望数のパネル電極の集まりを区画してパネルユニットとし、このパネルユニットの複数の一方電極を一つのセレクタに共通接続したこと、を加えたものである。
【００３６】
この請求項１２記載の発明においては、複数の一方電極を一つのセレクタに共通接続させるので、パネル全体で使用されるセレクタの数が大幅に少なくなる。
【００３７】
請求項１３記載の発明は、請求項１２記載の発明の構成に、パネル電極の配列方向の数を、等しい偶数値としたこと、を加えたものである。
【００３８】
この請求項１３記載の発明においては、配列方向のパネル電極の、隣り合った一方が一方電極であり、他方が他方電極であるので、配列方向に沿った一方電極と他方電極との配列は、偶数個毎に繰り返されることになり、このためパネル電極の配列方向の数を、等しい偶数値としてパネルユニットを構成すると、各パネルユニットは、全く同じ構造となることが可能となる。
【発明の効果】
【００３９】
本発明は、上記した構成としたので、以下に示す効果を奏する。
請求項1記載の発明にあっては、パネル電極の一方電極は、給電体からの給電指令信号の受信がない限り、屋内配線の電力線に接続されていない状態となっているので、給電体以外の物品および人がパネル電極に接触したとしても、漏電、短絡さらには感電事故を引き起こす恐れは全くなく、きわめて高い安全性を発揮することができる。
【００４０】
パネル電極の一方電極と他方電極とは、間隔を空けて隣り合っているので、給電体の一対の受電電極を、隣り合った一対のパネル電極に、一対一の関係で接触させることにより、給電体は、必ず電力供給を受けることができ、給電体に対する簡単で確実な電力供給を達成することができる。
【００４１】
セレクタは、一方電極を電力線に切替え接続するだけで良く、切替え接続する屋内配線の極性を選別する必要がなく、その分、構成および動作制御が簡単なものとなり、セレクタの構造および取扱いが簡単となる。
【００４２】
セレクタの数を、セレクタを各パネル電極に接続する場合に比べて、確実に半減させることができるので、その分、セレクタに要する経費を半減させることができ、もってパネルの製造価格を大幅に低減させることができ、また他方電極を直接グランド線に接続すると云う、きわめて単純な構造であるので、パネル全体の構造を簡単化することができる。
【００４３】
請求項２記載の発明にあっては、パネル面に、多数のパネル電極を、均等に分布させたパネルを、簡単にかつ確実に製造することができる。
【００４４】
請求項3記載の発明にあっては、パネル電極の配列設定が容易であると共に、パネル面における給電体の状態に、一定した方向付けを与えることができ、その分、パネル面上の給電体の取扱いが容易となる。
【００４５】
請求項４記載の発明にあっては、パネルの製造が容易であると共に、機械的強度に優れたパネルを製造することが可能となる。
【００４６】
請求項５記載の発明にあっては、パネル電極を一定間隔で配置した構成を保ちながら、使用されるパネル電極の数を少なくすることができるので、パネルの製造経費を充分に低減させることができると共に、機械的強度に優れたパネルを製造することが可能となる。
【００４７】
請求項６記載の発明にあっては、スイッチ部の切替え形態を替えることが可能となるので、切替え接続される電力線の種類や電力定格を、所望する複数種に設定して選択使用することができ、これにより広範囲の給電体への給電が可能となる。
【００４８】
請求項７記載の発明にあっては、セレクタのグランド線に対する接続を、必要に応じて非接続とすることにより、パネル全体の電気結線構造を簡単化させることができる。
【００４９】
請求項８記載の発明にあっては、広い範囲の信号を給電指令信号として利用することができるので、広い範囲の電気製品を給電体として取扱うことができると共に、検出体の構成を自由に設定することが可能であり、その分、給電体に対する給電動作形態を、変化に富んだものとすることができる。
【００５０】
請求項９記載の発明にあっては、給電体の、交流負荷か直流負荷かの違いに応じて、電力供給を不都合なく達成することができる。
【００５１】
請求項１０記載の発明にあっては、給電体に対して、交流電力と直流電力の一方を、自由に選択させて供給することができるので、使用できる給電体の種類および範囲を拡大させることができる。
【００５２】
請求項１１記載の発明にあっては、セレクタのスイッチ部の構造を、簡単化することができるので、セレクタそのものの小型化が可能となり、その分、パネル製造の際のセレクタの取扱いが容易となる。
【００５３】
請求項１２記載の発明にあっては、複数の一方電極を一つのセレクタに共通接続させるので、パネル全体で使用されるセレクタの数を大幅に少なくすることができ、これによりパネルを構成する際の、セレクタに要する経費を大幅に低減させることができる。
【００５４】
請求項１３記載の発明にあっては、隣接配列されてパネルを構成する多数のパネルユニットを、全く同じ構造とすることができるので、単一構造のパネルユニットによりパネルを構成することができ、これによりパネルを、経済的にかつ効率良く構築することができる。
【発明を実施するための最良の形態】
【００５５】
以下、本発明の好ましい実施態様を、図面を参照しながら説明する。
図１は、本発明におけるパネル１の外観を示す斜視図で、パネル１のパネル面３に、良導電材料製の多数のパネル電極４を、一定のルールに基づいて繰り返し配列し、各パネル電極４のパネル面３における露出面積は、後述する給電対象物である給電体１８の給電電極２４との、安定して確実な電気的接触を得ることができる範囲で、できる限り小さく設定されている。
【００５６】
図２〜図５は、多数のパネル電極４の、一定のルールに基づいた繰り返し配列の代表的な例を示すもので、図２は、パネル電極４を、正方形の各頂点に位置させて、繰り返し配列した例を、図３は、パネル電極４を、短辺と長辺とを有する長方形の各頂点に位置させて、繰り返し配列した例を、図４は、パネル電極４を、ひし形の各頂点に位置させて、繰り返し配列した例を、そして図５は、パネル電極４を、正六角形の各頂点に位置させて、繰り返し配列した例を、夫々示している。
【００５７】
上記した形状配列を一定ルールとして隣り合ったパネル電極４は、その一方が一方電極４ａに、そして他方が他方電極４ｂに設定され、これにより多数のパネル電極４は、一方電極４ａのグループと他方電極４ｂのグループに分けられている。
【００５８】
図２の実施形態にあっては、パネル電極４の配列形態の設定が簡単であり、またパネル面３に対する多数のパネル電極４の分布が、充分に均等なものなる。
【００５９】
図３の実施形態にあっては、パネル電極４の配列形態の設定が簡単であり、また長方形の短辺と長辺に沿った、隣り合ったパネル電極４の間隔が異なることから、給電体１８に対する給電が確実に達成できる方向と、達成し難い方向とが生じ、これによりパネル面３における給電体１８の姿勢、配列方向、さらには移動方向が略特定されて、自然と整えられることになる。
【００６０】
図４の実施形態にあっては、パネル電極４の配列を、図４（ａ）に示す、ひし形の各頂点に位置させた繰り返し配列とすべく、図４（ｂ）に示すように、ひし形形状に繰り返し配列された壁片に、ひし形の短い対角線を形成する壁片を連結してコア材を構成し、これによりきわめて機械的強度の高いコア材を得ることができ、このコア材の各ひし形の頂点にパネル電極４を設けることにより、軽量で機械的強度に優れたパネル１となる。
【００６１】
そして、図５の実施形態にあっては、図４図示実施形態と同様に、ハニカムコアをコア材としてパネル１を構成することができるので、構成されたパネル１は、軽量で機械的強度に優れたものとなり、またパネル電極４を一定間隔で配置する条件下で、使用されるパネル電極４の数が少ないものとなる。
【００６２】
多数のパネル電極４は、図６および図７に示すように、一方電極４ａを、セレクタ５を介して、屋内配線１４の電力線１５に断続接続可能とし、他方電極４ｂを、グランド線１５に直接接続している。
【００６３】
セレクタ５は、給電体１８からの給電指令信号を受信する検出体１１からの切替え指令信号を受け入れて解読するデコーダである解読部６と、切替え指令信号を解読して得られる解読部６からの解読信号に従って、一方電極４ａの電力線１５への断続接続を行うスイッチ部７とから構成されている。
【００６４】
検出体１１は、給電体１８からの、電磁波、磁場、電界、振動、光、音波さらには電流等の給電指令信号を検出もしくは受信する検出部１２と、検出部１２で受信した給電指令信号を解析して切替え指令信号に変換して、セレクタ５に送出す解析部１３とから構成されている。
【００６５】
図６に示した実施形態例の場合、検出体１１は各セレクタ５毎に設けられており、この場合、給電体１８からの給電指令信号は、電磁波、磁場、電界、振動さらには電流等が適しており、図７に示した実施形態例の場合は、独立して設けられた検出体１１からの切替え指令信号を、専用の信号線１７を介して目的とするセレクタ５に伝えるようにしたもので、給電体１８からの給電指令信号は、電磁波、光さらには音波等が適している。
【００６６】
図８および図９は、図７に示した実施形態例に対応した検出体１１に関する構成例を示すもので、パネル１上を自走移動する給電体１８からの給電指令信号が、電磁波である場合は、図８に示すように、パネル１の側近に設けられた検出体１１の検出部１２をアンテナで構成し、給電指令信号が、光である場合は、図９に示すように、検出部１２を、給電体１８を画像として受信するカメラで構成しで受信し、この受信した給電指令信号を解析部１３で解析して、給電体１８の位置、すなわち切替え指令信号を受信すべきセレクタ５を定めると共に、給電体１８が要求している電力を指定する切替え指令信号を信号線１７に送出す。
【００６７】
なお、図６および図７に例示した給電体１８は、モータ、カメラ、センサー等の負荷１９と、この負荷１９の動作とか電力供給を制御する制御部２０と、供給された電力の一部を蓄えた蓄電部２１と、供給された電力を負荷１９に適合させる整流部２２と、給電指令信号を放射する給電指令信号発生部２３と、少なくとの一対の給電電極２４を備えた、脚部もしくは走行用の車輪である給電電極体２５とから構成されている。
【００６８】
図１０は、隣り合っている所望数のパネル電極４の集まりを区画してパネルユニット２を構成した一例を示すもので、正方形の各頂点に位置したパネル電極４を繰り返し配列した構成において、行と列に４個隣り合った、合計１６個のパネル電極４でパネルユニット２を構成しており、各パネルユニット２は、行と列のパネル電極４の数が偶数で同数であるので、同じ構造となっており、それゆえ各パネルユニット２を、向きを揃えて配列するだけで、図１０に示すように、パネル１全体で、一方電極４ａと他方電極４ｂとを交互に行列配列させることができることになる。
【００６９】
図１１は、図１０に示したパネルユニット２のパネル電極４の一つの列における、各パネル電極４の屋内配線１４に対する接続構成例を示すもので、二つの一方電極４ａが一つのセレクタ５に共通接続されている状態を示しているが、このセレクタ５に対する二つの一方電極４ａの共通接続は、パネルユニット２におけるパネル電極４の他の列においても全く同じであるので、図１０に示した一つのパネルユニット２においては、図１２に示すように、８個の一方電極４ａが一つのセレクタ５に共通接続されることになる。
【００７０】
図１３は、セレクタ５のスイッチ部７をＡＣスイッチ８とＤＣスイッチ９とから構成し、このＡＣスイッチ８とＤＣスイッチ９との組合せを一体化した構成例を示すもので、屋内配線１４は、グランド線１６と組合さって単相三線交流ラインを形成する二本の交流電力線１５ａと、グランド線１６と組合さって直流ラインを形成する一本の直流電力線１５ｂとから構成されている。
【００７１】
この図１３に示した実施形態例において、解読部６は、自己保持機能を有しており、給電指令信号を受信している間、もしくは予め設定された時間の間、さらには専用の解除指令を受けるまで、ＡＣスイッチ８またはＤＣスイッチ９のスイッチ切替え状態を保持し、またこの解読部６で、ＡＣスイッチ８およびＤＣスイッチ９の出力端や、過電流保護素子１０の出力端の電圧をモニタすることにより、異常時に、その情報を知らせることが可能であり、さらにこの解読部６により、無線ＬＡＮを起動させることも可能である。
【００７２】
また、過電流保護素子１０は、過電流の通過を阻止してスイッチ部７を保護するものであるが、この過電流保護素子１０としては、ヒユーズ型のものを使用してもよいし、アクティブ型の機能復帰可能なものを使用してもよい。
【００７３】
スイッチ部７は、図１４の（ａ）および（ｂ）に示すように、切替え接点を、交流電力線１５ａに接続された第一の固定接点と、直流電力線１５ｂに接続された第二の固定接点と、グランド線１６に接続された、もしくはオープン状態とされた第三の固定接点のいずれか一つに切替え接続すべく構成されている。すなわち、切替え接点を共有させた状態で、ＡＣスイッチ８とＤＣスイッチ９を構成しているのである。
【００７４】
図１４（ａ）および（ｂ）の上側の表は、インプットされた切替え指令信号の内容に従った、スイッチ動作状態を示している。
【００７５】
図１５は、図１３に示した実施形態例において、スイッチ部７のＡＣスイッチ８とＤＣスイッチ９とを、切替え接点を共有させることなく、それぞれを独立に構成した例を示すもので、図１６（ａ）および（ｂ）に、ＡＣスイッチ８およびＤＣスイッチ９の構成を示すと共に、上側の表に、インプットされた切替え指令信号の内容に従った、スイッチ動作状態を示している。なお、図１６に示したスイッチ構成例には、第三の固定接点をオープン状態とする例の開示は省略されている。
【００７６】
この図１５に示された実施形態例は、各セレクタ５に検出体１１を組付けた構成となっており、この検出体１１の検出部１２は、例えば図１７の平面図に示す形態で、各パネルユニット２に取付けられる。
【００７７】
図１８は、図１５に示した実施形態例において、検出体１１を、外部出力端子付きＲＦ−ＩＤタグで構成した例を示すもので、この図１８の実施形態例にあっては、パネル面３を形成する材料を、高周波電磁誘導を妨げない材質のものとする。
【００７８】
検出体１１を構成するＲＦ−ＩＤタグは、給電体１８の給電指令信号発生部２３を構成するリーダ・ライタからの、給電指令信号である高周波電磁波信号を受信できるアンテナである検出部１２を有し、この受信した給電指令信号の内容を、ＩＣチップである解析部１３で判断して、切替え指令信号としてセレクタ５に出力するが、具体的には、切替え指令信号は、給電指令信号の内容を２ビット指定（４ケースの指定が可能）することができる。
【図面の簡単な説明】
【００７９】
【図１】本発明の一実施形態例を示す、パネルの外観斜視図である。
【図２】パネル電極の第一の配列形態例を示す、部分平面図である。
【図３】パネル電極の第二の配列形態例を示す、部分平面図である。
【図４】パネル電極の第三の配列形態例を示す、部分平面図である。
【図５】パネル電極の第四の配列形態例を示す、部分平面図である。
【図６】本発明によるパネルと給電体との第一の電気的関係を示す、説明図である。
【図７】本発明によるパネルと給電体との第二の電気的関係を示す、説明図である。
【図８】図７の実施例における検出体の第一の構成例を示す、説明図である。
【図９】図７の実施例における検出体の第二の構成例を示す、説明図である。
【図１０】本発明の一実施形態例のパネルユニットの組合せを示す、平面図である。
【図１１】図１０のパネル電極とセレクタとの関係を示す、電気結線図である。
【図１２】図１０のパネルユニットにおける、電気結線要領図である。
【図１３】交直両電源に対応したセレクタの一例を組付けた、電気結線図である。
【図１４】図１３のスイッチ部の構成、動作形態を示す、説明図である。
【図１５】交直両電源に対応したセレクタの他の例を組付けた、電気結線図である。
【図１６】図１５のスイッチ部の構成、動作形態を示す、説明図である。
【図１７】図１５の実施形態における検出体の配列を示す、平面図である。
【図１８】図１５の実施形態の検出体をＲＦ−ＩＤタグとした、電気結線図である。
【符号の説明】
【００８０】
１    ；  パネル
２    ；  パネルユニット
３    ；  パネル面
４    ；  パネル電極
４ａ  ；  一方電極
４ｂ  ；  他方電極
５    ；  セレクタ
６    ；  解読部
７    ；  スイッチ部
８    ；  ＡＣスイッチ
９    ；  ＤＣスイッチ
１０  ；  過電流保護素子
１１  ；  検出体
１２  ；  検出部
１３  ；  解析部
１４  ；  屋内配線
１５  ；  電力線
１５ａ；  交流電力線
１５ｂ；  直流電力線
１６  ；  グランド線
１７  ；  信号線
１８  ；  給電体
１９  ；  負荷
２０  ；  制御部
２１  ；  蓄電部
２２  ；  整流部
２３  ；  給電指令信号発生部
２４  ；  給電電極
２５  ；  給電電極体
【図１】
2006353002.tif 000003
【図２】
2006353002.tif 000004
【図３】
2006353002.tif 000005
【図４】
2006353002.tif 000006
【図５】
2006353002.tif 000007
【図６】
2006353002.tif 000008
【図７】
2006353002.tif 000009
【図８】
2006353002.tif 000010
【図９】
2006353002.tif 000011
【図１０】
2006353002.tif 000012
【図１１】
2006353002.tif 000013
【図１２】
2006353002.tif 000014
【図１３】
2006353002.tif 000015
【図１４】
2006353002.tif 000016
【図１５】
2006353002.tif 000017
【図１６】
2006353002.tif 000018
【図１７】
2006353002.tif 000019
【図１８】
2006353002.tif 000020